(57)【特許請求の範囲】
【請求項１】
回転可能な無端状ベルトの定着部材と、
前記定着部材の外周面に圧接してニップ部を形成する加圧部材と、
前記定着部材の内部に固設され、外周面が該定着部材の内周面と摺接するパイプ部材である支持部材と、
前記支持部材を加熱する加熱手段と、
前記支持部材の軸方向端部の内径部に挿入され該支持部材の端部近傍の形状を保持する円筒部及び当該定着装置のフレームに固設されるフランジ部からなり、前記支持部材を保持した状態で当該定着装置のフレームに着脱可能なフランジ部材と、
前記定着部材の内周側に配置され、前記定着部材を介して前記加圧部材と当接してニップ部を形成するニップ形成部材と、を備え、
前記フランジ部材は、前記円筒部の円周上の一部に該円筒部の軸方向に延設され、前記円筒部の外周面側に軸方向先端に向かうにつれて円筒中心側に傾斜する傾斜面が設けられ、前記支持部材の軸方向端部の内径部に挿入の際に該支持部材の内周部に摺接して前記円筒部外周面上に案内する案内部を有するとともに、前記円筒部の円周上の一部に切欠き部を有し、
前記ニップ部形成部材は、その軸方向端部が前記切欠き部に収納されることにより前記フランジ部で保持され、
前記支持部材は、その外周面に前記ニップ形成部材を収納する凹部を有しており、
該凹部は前記ニップ形成部材とともに前記フランジ部材の前記切欠き部に収納されることを特徴とする定着装置。
【請求項２】
前記定着部材の内周側に固設され、前記ニップ形成部材を支持する補強部材を備えることを特徴とする請求項１に記載の定着装置。
【請求項３】
前記フランジ部材の円筒部は、その外周上であって少なくとも前記切欠き部の前記ニップ部入口側に隣接する領域に前記支持部材を所望の断面形状で保持する形状保持面を有することを特徴とする請求項１または２に記載の定着装置。
【請求項４】
前記案内部は、前記円筒部の円周上において前記形状保持面以外の領域に設けられることを特徴とする請求項３に記載の定着装置。
【請求項５】
前記案内部は、前記円筒部の円周上において前記ニップ部の定着部材回転方向下流側に設けられることを特徴とする請求項４に記載の定着装置。
【請求項６】
前記フランジ部材及び当該定着装置のフレームは、前記フランジ部材を前記フレームへ装着する際に該フランジ部材を前記フレームにおける目標位置に案内する案内構造を有することを特徴とする請求項１〜５のいずれかに記載の定着装置。
【請求項７】
前記案内構造は、前記フランジ部において前記フレームへの取り付け面となる板形状部分の端部の角に設けられた面取り部が該フレームの端部と接触しながらスライドして、前記フランジ部材が軸方向に移動する構造であることを特徴とする請求項６に記載の定着装置。
【請求項８】
回転可能な無端状ベルトの定着部材と、
前記定着部材の外周面に圧接してニップ部を形成する加圧部材と、
前記定着部材の内部に固設され、外周面が該定着部材の内周面と摺接するパイプ部材である支持部材と、
前記支持部材を加熱する加熱手段と、
前記支持部材の軸方向端部の内径部に挿入され該支持部材の端部近傍の形状を保持する円筒部及び当該定着装置のフレームに固設されるフランジ部からなり、前記支持部材を保持した状態で当該定着装置のフレームに着脱可能なフランジ部材と、を備え、
前記フランジ部材は、前記円筒部の円周上の一部に該円筒部の軸方向に延設され、前記円筒部の外周面側に軸方向先端に向かうにつれて円筒中心側に傾斜する傾斜面が設けられ、前記支持部材の軸方向端部の内径部に挿入の際に該支持部材の内周部に摺接して前記円筒部外周面上に案内する案内部を有し、
前記フランジ部材及び当該定着装置のフレームは、前記フランジ部材を前記フレームへ装着する際に該フランジ部材を前記フレームにおける目標位置に案内する案内構造を有するとともに、
前記案内構造は、前記フランジ部において前記フレームへの取り付け面となる板形状部分の端部の角に設けられた面取り部が該フレームの端部と接触しながらスライドして、前記フランジ部材が軸方向に移動する構造であることを特徴とする定着装置。
【請求項９】
前記案内構造は、前記フレームにおける前記フランジ部材の位置決め手段を有することを特徴とする請求項７または８に記載の定着装置。
【請求項１０】
請求項１〜９のいずれかに記載の定着装置を備えることを特徴とする画像形成装置。
【発明の詳細な説明】
【技術分野】
【０００１】
本発明は、熱と圧力により記録媒体にトナーを定着させる定着装置及び該定着装置を備える電子写真方式、静電記録方式等を利用したＦＡＸ、プリンタ、複写機またはそれらの複合機等の画像形成装置に関するものである。
【背景技術】
【０００２】
従来から、複写機、プリンタ等の画像形成装置として、電子写真方式を利用した画像形成装置が種々考案されており公知技術となっている。その画像形成プロセスは、像担持体である感光ドラムの表面に静電潜像を形成し、感光ドラム上の静電潜像を現像剤であるトナー等によって現像して可視像化し、現像された画像を転写装置により記録紙に転写して画像を担持させ、圧力や熱等を用いる定着装置によって記録紙上のトナー画像を定着する過程により成立している。
【０００３】
この定着装置では、対向するローラもしくはベルトもしくはそれらの組み合わせにより構成された定着部材及び加圧部材が当接してニップ部を形成するように配置されており、該ニップ部に記録紙を挟みこみ、熱および圧力を加え前記トナー像を記録紙上に定着することを行っている。
【０００４】
前記定着装置の一例を挙げると、複数のローラ部材に張架された定着ベルトを定着部材として用いる技術が知られている（例えば、特許文献１参照。）。このような定着ベルトを用いた装置は、定着部材としての定着ベルト（無端状ベルト）２０４、定着ベルト２０４を張架・支持する複数のローラ部材、複数のローラ部材２０２，２０３のうち１つのローラ部材２０２に内設されたヒータ２０１、加圧ローラ（加圧部材）２０５、等で構成されている（図２１）。ヒータは、ローラ部材を介して定着ベルトを加熱する。そして、定着ベルトと加圧ローラとの間に形成されたニップ部に向けて搬送された記録媒体上のトナー像は、ニップ部にて熱と圧力とを受けて記録媒体上に定着される（ベルト定着方式）。
【０００５】
また、上述した画像形成装置に用いられる定着装置において、回転体である定着部材の内面に摺接する固定部材を有している定着装置がある。
例えば、特許文献２では、発熱体としてのセラミックヒータ２１１と、加圧部材としての加圧ローラ２１２との間に耐熱性フィルム（定着フィルム）２１３を挟ませて定着ニップ部Ｎを形成させ、前記定着ニップ部Ｎのフィルム２１３と加圧ローラ２１２との間に画像定着すべき未定着トナー画像を形成担持させた被記録材を導入して、フィルム２１３と一緒に挟持搬送させることで、ニップ部Ｎにおいてセラミックヒータ２１１の熱がフィルム２１３を介して被記録材に与えられ、また定着ニップ部Ｎの加圧力にて未定着トナー画像を被記録材面に熱圧定着させるフィルム加熱方式の定着装置が開示されている（図２２）。このフィルム加熱方式の定着装置は、セラミックヒータ及びフィルムとして低熱容量の部材を用いてオンデマンドタイプの装置を構成することができるとともに、画像形成装置の画像形成実行時のみ熱源としてのセラミックヒータに通電して所定の定着温度に発熱させた状態にすればよく、画像形成装置の電源オンから画像形成実行可能状態までの待ち時間が短く（クイックスタート性）、スタンバイ時の消費電力も大幅に小さい（省電力）等の利点がある。
【０００６】
また、特許文献３，４では、表面が弾性変形する回転可能な加熱定着ロールと、前記加熱定着ロールに接触したまま走行可能なエンドレスベルト（加圧ベルト）と、前記エンドレスベルトの内側に非回転状態で配置されて、前記エンドレスベルトを前記加熱定着ロールに圧接させ、前記エンドレスベルトと前記加熱定着ロールとの間に記録紙が通過させられるベルトニップを設けると共に、前記加熱定着ロールの表面を弾性変形させる加圧パッドとを具備してなる加圧ベルト方式の画像定着装置が提案されている。この定着方式によれば、下の加圧部材をベルトにし、用紙とロールの接触面積を広げることで熱伝導効率を大幅に向上させ、エネルギー消費を抑制すると同時に小型化を実現することが可能となっている。
【０００７】
しかしながら、上述した特許文献１記載の定着装置は、定着ローラを用いた装置に比べて装置の高速化に適しているものの、ウォームアップ時間（プリント可能な温度に達するまでに要する時間である。）やファーストプリント時間（プリント要求を受けた後にプリント準備を経てプリント動作をおこない排紙が完了するまでの時間である。）の短縮化に限界があった。
【０００８】
これに対して、特許文献２記載の定着装置は、低熱容量化によりウォームアップ時間やファーストプリント時間の短縮化が可能になるとともに、装置の小型化も可能になる。しかし、特許文献２記載の定着装置では、耐久性の問題と、ベルト温度安定性の問題があった。すなわち、熱源であるセラミックヒータとベルト内面の摺動による耐磨耗性が不十分であり、長時間運転すると連続摩擦を繰り返す面が荒れて摩擦抵抗が増大し、ベルトの走行が不安定になる、もしくは定着装置の駆動トルクが増大する等の現象が生じ、その結果、画像を形成する転写紙のスリップが生じ画像のずれが生じる、または駆動ギヤに係る応力が増大し、ギヤの破損を引き起こすという不具合が発生した（課題１）。
また、フィルム加熱方式の定着装置では、ベルトをニップ部で局所的に加熱しているため回転するベルトがニップ入り口に戻ってくる際に、ベルト温度は最も冷えた状態になり、（特に高速回転を行うと）定着不良が出やすいという問題があった（課題２）。
【０００９】
一方、特許文献３では、圧力パッドの表層に低摩擦シート（シート状摺動材）としてＰＴＦＥを含浸させたガラス繊維シート（ＰＴＦＥ含浸ガラスクロス）を用い、ベルト内面と固定部材の摺動性の問題を改善する手段が開示されている。しかし、このような加圧ベルト方式の定着装置（特許文献３，４）では、定着ローラの熱容量が大きく、昇温が遅いため、ウォームアップにかかる時間が長いという問題があった。（課題３）。
【００１０】
以上のような課題１〜３に対して、特許文献５では、無端状の定着ベルトの内周側に配置される略パイプ状の対向部材（金属熱伝導体、加熱部材、支持部材）と、前記対向部材の内周側に配置され該対向部材を加熱するセラミックヒータ等の抵抗発熱体とを設けることにより、定着ベルト全体を温めることを可能にし、ウォームアップ時間やファーストプリント時間を短縮することができ、かつ高速回転時の熱量不足を解消することのできる定着装置が提案されている。
【００１１】
しかしながら、特許文献５記載の定着装置では、定着ベルト側に加圧部材である加圧ローラを押圧して形成するニップ部を金属熱伝導体で支持する構成であるため、ニップ部におけるニップ幅、圧力などが不安定なものとなっていた。
【００１２】
そこで、特許文献６では、定着ベルトと加圧ローラとによるニップ部やパイプ状の支持部材の状態、形状、位置などを保持して安定させるため、ニップ部が形成される部位に対応させてニップ形成部材（当接部材、固定部材）及び補強部材などを設ける構成が提案されている。
【００１３】
このとき、支持部材は、軸方向端部の形状がフランジ部材で保持されており、該フランジ部材が定着装置のフレームに固定されることにより、所定位置に配置されるようになっている。詳しくは、フランジ部材の円筒部が支持部材の軸方向端部の内径部に差し込まれて該支持部材の端部近傍の形状を保持し、フランジ部材のフランジ部が定着装置のフレームの所定位置に固定されて設置されている。このように、フランジ部材は支持部材の端部近傍の形状を保持し定着装置における支持部材の位置を決める部品であることから、フランジ部材の円筒部外周面と支持部材の内周面のクリアランスは０．１５ｍｍ以下となっている。
【発明の概要】
【発明が解決しようとする課題】
【００１４】
しかしながら、このような支持部材等の定着部材側のいくつかの部材をユニットとして組み付ける工程において、その組み付け性に問題があった。すなわち、支持部材は薄肉の金属パイプであるととともにその断面は少なくともニップ形成部材を収納する関係上、単純な円形ではないため、該支持部材の軸方向端部の内径部に微小クリアランスで前記フランジ部材の円筒部をスムーズに挿入することが困難であった。
また、支持部材等を保持したフランジ部材をフレームに固定するときに、保持した支持部材等をフレームに対して高精度に組み付けることが容易ではなかった。
【００１５】
本発明は、以上の従来技術における課題に鑑みてなされたものであり、支持部材の断面形状を保持しつつ、その組み付け性を向上させた定着装置及び該定着装置を備える画像形成装置を提供することを目的とする。
【課題を解決するための手段】
【００１６】
前記課題を解決するために提供する本発明は、以下の通りである。なお、カッコ内に本発明を実施するための形態において対応する部位及び符号等を示す。
〔１〕  回転可能な無端状ベルトの定着部材（定着ベルト２１）と、前記定着部材の外周面に圧接してニップ部（ニップ部２７）を形成する加圧部材（加圧ローラ３１）と、前記定着部材の内部に固設され、外周面が該定着部材の内周面と摺接するパイプ部材である支持部材（支持部材６０）と、前記支持部材を加熱する加熱手段（加熱手段２５）と、前記支持部材の軸方向端部の内径部に挿入され該支持部材の端部近傍の形状を保持する円筒部（円筒部２８ａ）及び当該定着装置のフレームに固設されるフランジ部（フランジ部２８ｂ）からなり、前記支持部材を保持した状態で当該定着装置のフレームに着脱可能なフランジ部材（フランジ部材２８）と、前記定着部材の内周側に配置され、前記定着部材を介して前記加圧部材と当接してニップ部を形成するニップ形成部材（ニップ形成部材２６）と、を備え、前記フランジ部材は、前記円筒部の円周上の一部に該円筒部の軸方向に延設され、前記円筒部の外周面側に軸方向先端に向かうにつれて円筒中心側に傾斜する傾斜面（傾斜面２８ｄ１，２８ｄ２）が設けられ、前記支持部材の軸方向端部の内径部に挿入の際に該支持部材の内周部に摺接して前記円筒部外周面上に案内する案内部（案内部２８ｄ）を有するとともに、前記円筒部の円周上の一部に切欠き部（切欠き部２８ａ１）を有し、前記ニップ部形成部材は、その軸方向端部が前記切欠き部に収納されることにより前記フランジ部で保持され、前記支持部材は、その外周面に前記ニップ形成部材を収納する凹部（ニップ凹部６１）を有しており、該凹部は前記ニップ形成部材とともに前記フランジ部材の前記切欠き部に収納されることを特徴とする定着装置（定着装置２０、図２，図１３，図１６）。
〔２〕  前記定着部材の内周側に固設され、前記ニップ形成部材を支持する補強部材（補強部材２３）を備えることを特徴とする前記〔１〕に記載の定着装置（図２，図１３）。
〔３〕  前記フランジ部材の円筒部は、その外周上であって少なくとも前記切欠き部の前記ニップ部入口側に隣接する領域（領域Ａ）に前記支持部材を所望の断面形状で保持する形状保持面（形状保持面２８ａ２）を有することを特徴とする前記〔１〕または〔２〕に記載の定着装置（図１３）。
〔４〕  前記案内部は、前記円筒部の円周上において前記形状保持面以外の領域（領域Ｂ）に設けられることを特徴とする前記〔３〕に記載の定着装置（図１３）。
〔５〕  前記案内部は、前記円筒部の円周上において前記ニップ部の定着部材回転方向下流側に設けられることを特徴とする前記〔４〕に記載の定着装置（図１３，図１６）。
〔６〕  前記フランジ部材及び当該定着装置のフレーム（側板４２）は、前記フランジ部材を前記フレームへ装着する際に該フランジ部材を前記フレームにおける目標位置に案内する案内構造を有することを特徴とする前記〔１〕〜〔５〕のいずれかに記載の定着装置（図１３，図１７〜図２０）。
〔７〕  前記案内構造は、前記フランジ部において前記フレームへの取り付け面となる板形状部分の端部の角に設けられた面取り部（面取り部２８ｂ１）が該フレームの端部（端部４２ａ）と接触しながらスライドして、前記フランジ部材が軸方向に移動する構造であることを特徴とする前記〔６〕に記載の定着装置（図１３，図１７，図１８）。
〔８〕  回転可能な無端状ベルトの定着部材と、前記定着部材の外周面に圧接してニップ部を形成する加圧部材と、前記定着部材の内部に固設され、外周面が該定着部材の内周面と摺接するパイプ部材である支持部材と、前記支持部材を加熱する加熱手段と、前記支持部材の軸方向端部の内径部に挿入され該支持部材の端部近傍の形状を保持する円筒部及び当該定着装置のフレームに固設されるフランジ部からなり、前記支持部材を保持した状態で当該定着装置のフレームに着脱可能なフランジ部材と、を備え、前記フランジ部材は、前記円筒部の円周上の一部に該円筒部の軸方向に延設され、前記円筒部の外周面側に軸方向先端に向かうにつれて円筒中心側に傾斜する傾斜面が設けられ、前記支持部材の軸方向端部の内径部に挿入の際に該支持部材の内周部に摺接して前記円筒部外周面上に案内する案内部を有し、前記フランジ部材及び当該定着装置のフレームは、前記フランジ部材を前記フレームへ装着する際に該フランジ部材を前記フレームにおける目標位置に案内する案内構造を有するとともに、前記案内構造は、前記フランジ部において前記フレームへの取り付け面となる板形状部分の端部の角に設けられた面取り部が該フレームの端部と接触しながらスライドして、前記フランジ部材が軸方向に移動する構造であることを特徴とする定着装置（図２，図１３，図１７，図１８）。
〔９〕  前記案内構造は、前記フレームにおける前記フランジ部材の位置決め手段（面取り部２８ｂ２、位置決め穴２８ｂ３、突起部４２ｅ、開口部４２ｋ）を有することを特徴とする前記〔７〕または〔８〕に記載の定着装置（図１３，図１７，図１９，図２０）。
〔１０〕  前記〔１〕〜〔９〕のいずれかに記載の定着装置（定着装置２０）を備えることを特徴とする画像形成装置（画像形成装置１、図１）。
【発明の効果】
【００１７】
本発明の定着装置によれば、フランジ部材の円筒部が所定の案内部を有するので、該円筒部を支持部材の軸方向端部の内径部に挿入する際に、支持部材端部の内周部がまず案内部に接し、摺接しながら円筒部の外周面に案内されるようになることから、フランジ部材の円筒部を支持部材端部の内径部の適正位置にスムーズに挿入でき、適正な形状保持が可能になる。
本発明の画像形成装置によれば、本発明の定着装置を備えているので、組み付け性がよくなり、メンテナンスのときなどの作業性を改善できる。
【図面の簡単な説明】
【００１８】
【図１】本発明の実施の形態に係る定着装置を搭載した画像形成装置を示す概略の構成図である。
【図２】本発明の実施の形態に係る定着装置の中央縦断面図である。
【図３】本発明の実施の形態に係る定着装置の支持部材、外保持部材および内保持部材を分解した状態を示す中央縦断面図である。
【図４】本発明の実施の形態に係る定着装置の支持部材を示す斜視図である。
【図５】本発明の実施の形態に係る定着装置の支持部材の寸法を示す概略の正面図である。
【図６】本発明の実施の形態に係る定着装置のニップ形成部材を取り外した状態を示す斜視図である。
【図７】本発明の実施の形態に係る定着装置のニップ形成部材の裏側を示す斜視図である。
【図８】本発明の実施の形態に係る定着装置の補強部材を示す斜視図である。
【図９】本発明の実施の形態に係る定着装置のフランジ部材を示す斜視図である。
【図１０】面状発熱体からなる加熱手段を示す断面図である。
【図１１】図５に示す支持部材と直径３０ｍｍの定着ベルトを利用した場合の周長差と摩擦力および温度との関係を示すグラフである。
【図１２】本発明の実施の形態に係る定着装置の支持部材とフランジ部材と側板とを示す断面図である。
【図１３】本発明の定着装置に用いられるフランジ部材の詳細構成を示す斜視図である。
【図１４】図１３のフランジ部材における案内部の構成（１）を示す側面図である。
【図１５】図１３のフランジ部材における案内部の構成（２）を示す斜視図である。
【図１６】図１３のフランジ部材に支持部材等を組み付けた状態を示す正面図である。
【図１７】定着ベルトユニットの側板への装着手順を示す概略図である。
【図１８】定着ベルトユニットの側板への装着状態（１）を示す断面図である。
【図１９】定着ベルトユニットの側板への装着状態（２）を示す断面図である。
【図２０】定着ベルトユニットの側板への装着状態（３）を示す斜視図である。
【図２１】従来のベルト定着方式の定着装置を示す概略構成図である。
【図２２】従来のフィルム加熱方式の定着装置を示す概略構成図である。
【発明を実施するための形態】
【００１９】
以下、本発明の実施の形態について、図面を参照して説明する。
まず、図１を参照して本発明の実施の形態に係る画像形成装置１について説明する。
図１に示すように、画像形成装置１は、タンデム型カラープリンタである。画像形成装置本体１の上方にあるボトル収容部１０１には、各色（イエロー、マゼンタ、シアン、ブラック）に対応した４つのトナーボトル１０２Ｙ、１０２Ｍ、１０２Ｃ、１０２Ｋが着脱自在に設置されている。このため、これらの４つのトナーボトル１０２Ｙ、１０２Ｍ、１０２Ｃ、１０２Ｋは、ユーザなどによって交換自在になっている。
ボトル収容部１０１の下方には中間転写ユニット８５が配設されている。その中間転写ユニット８５の中間転写ベルト７８に対向するように、各色（イエロー、マゼンタ、シアン、ブラック）に対応した作像部４Ｙ、４Ｍ、４Ｃ、４Ｋが並設されている。
【００２０】
各作像部４Ｙ、４Ｍ、４Ｃ、４Ｋには、それぞれ、感光体ドラム５Ｙ、５Ｍ、５Ｃ、５Ｋが配設されている。また、各感光体ドラム５Ｙ、５Ｍ、５Ｃ、５Ｋの周囲には、それぞれ、帯電部７５、現像部７６、クリーニング部７７、不図示の除電部などが配設されている。そして、各感光体ドラム５Ｙ、５Ｍ、５Ｃ、５Ｋ上で、作像プロセス（帯電工程、露光工程、現像工程、転写工程、クリーニング工程）が行われて、各感光体ドラム５Ｙ、５Ｍ、５Ｃ、５Ｋ上に各色の画像が形成されることになる。
【００２１】
感光体ドラム５Ｙ、５Ｍ、５Ｃ、５Ｋは、不図示の駆動モータによって図１中の時計方向に回転駆動される。そして、帯電部７５の位置で感光体ドラム５Ｙ、５Ｍ、５Ｃ、５Ｋの表面が一様に帯電される（帯電工程である。）。その後、感光体ドラム５Ｙ、５Ｍ、５Ｃ、５Ｋの表面は、露光部３から発せられたレーザ光Ｌの照射位置に達して、この位置での露光走査によって各色に対応した静電潜像が形成される（露光工程である。）。
【００２２】
その後、感光体ドラム５Ｙ、５Ｍ、５Ｃ、５Ｋの表面は、現像装置７６との対向位置に達して、この位置で静電潜像が現像されて、各色のトナー像が形成される（現像工程である。）。その後、感光体ドラム５Ｙ、５Ｍ、５Ｃ、５Ｋの表面は、中間転写ベルト７８および１次転写バイアスローラ７９Ｙ、７９Ｍ、７９Ｃ、７９Ｋとの対向位置に達して、この位置で感光体ドラム５Ｙ、５Ｍ、５Ｃ、５Ｋ上のトナー像が中間転写ベルト７８上に転写される（第１転写工程である。）。このとき、感光体ドラム５Ｙ、５Ｍ、５Ｃ、５Ｋ上には、僅かながら未転写トナーが残存する。
【００２３】
その後、感光体ドラム５Ｙ、５Ｍ、５Ｃ、５Ｋの表面は、クリーニング部７７との対向位置に達して、この位置で感光体ドラム５Ｙ、５Ｍ、５Ｃ、５Ｋ上に残存した未転写トナーがクリーニング部７７のクリーニングブレードによって機械的に回収される（クリーニング工程である。）。
最後に、感光体ドラム５Ｙ、５Ｍ、５Ｃ、５Ｋの表面は、不図示の除電部との対向位置に達して、この位置で感光体ドラム５Ｙ、５Ｍ、５Ｃ、５Ｋ上の残留電位が除去される。こうして、感光体ドラム５Ｙ、５Ｍ、５Ｃ、５Ｋ上で行われる一連の作像プロセスが終了する。
【００２４】
その後、現像工程を経て各感光体ドラム上に形成した各色のトナー像を、中間転写ベルト７８上に重ねて転写する。こうして、中間転写ベルト７８上にカラー画像が形成される。ここで、中間転写ユニット８５は、中間転写ベルト７８、４つの１次転写バイアスローラ７９Ｙ、７９Ｍ、７９Ｃ、７９Ｋ、２次転写バックアップローラ８２、クリーニングバックアップローラ８３、テンションローラ８４、中間転写クリーニング部８０、などで構成される。中間転写ベルト７８は、３つのローラ８２〜８４によって張架および支持されるとともに、１つのローラ８２の回転駆動によって図１中の矢印方向に無端移動される。
【００２５】
４つの１次転写バイアスローラ７９Ｙ、７９Ｍ、７９Ｃ、７９Ｋは、それぞれ、中間転写ベルト７８を感光体ドラム５Ｙ、５Ｍ、５Ｃ、５Ｋとの間に挟み込んで１次転写ニップを形成している。そして、１次転写バイアスローラ７９Ｙ、７９Ｍ、７９Ｃ、７９Ｋに、トナーの極性とは逆の転写バイアスが印加される。そして、中間転写ベルト７８は、矢印方向に走行して、各１次転写バイアスローラ７９Ｙ、７９Ｍ、７９Ｃ、７９Ｋの１次転写ニップを順次通過する。こうして、感光体ドラム５Ｙ、５Ｍ、５Ｃ、５Ｋ上の各色のトナー像が、中間転写ベルト７８上に重ねて１次転写される。
【００２６】
その後、各色のトナー像が重ねて転写された中間転写ベルト７８は、２次転写ローラ８９との対向位置に達する。この位置では、２次転写バックアップローラ８２が、２次転写ローラ８９との間に中間転写ベルト７８を挟み込んで２次転写ニップを形成している。そして、中間転写ベルト７８上に形成された４色のトナー像は、この２次転写ニップの位置に搬送された記録媒体Ｐ上に転写される。このとき、中間転写ベルト７８には、記録媒体Ｐに転写されなかった未転写トナーが残存する。その後、中間転写ベルト７８は、中間転写クリーニング部８０の位置に達する。そして、この位置で、中間転写ベルト７８上の未転写トナーが回収される。こうして、中間転写ベルト７８上で行われる一連の転写プロセスが終了する。
【００２７】
ここで、２次転写ニップの位置に搬送された記録媒体Ｐは、装置本体１の下方に配設された給紙部１２から、給紙ローラ９７やレジストローラ対９８などを経由して搬送されたものである。詳しくは、給紙部１２には、転写紙などの記録媒体Ｐが複数枚重ねて収納されている。そして、給紙ローラ９７が図１中の反時計方向に回転駆動されると、一番上の記録媒体Ｐがレジストローラ対９８のローラ間に向けて給送される。
【００２８】
レジストローラ対９８に搬送された記録媒体Ｐは、回転駆動を停止したレジストローラ対９８のローラニップの位置で一旦停止する。そして、中間転写ベルト７８上のカラー画像にタイミングを合わせて、レジストローラ対９８が回転駆動されて、記録媒体Ｐが２次転写ニップに向けて搬送される。こうして、記録媒体Ｐ上に、所望のカラー画像が転写される。
【００２９】
その後、２次転写ニップの位置でカラー画像が転写された記録媒体Ｐは、定着装置２０の位置に搬送される。そして、この位置で、定着スリーブ２１および加圧ローラ３１による熱と圧力とにより、表面に転写されたカラー画像が記録媒体Ｐ上に定着される。その後、記録媒体Ｐは、排紙ローラ対９９のローラ間を経て、装置外へと排出される。排紙ローラ対９９によって装置外に排出された被転写Ｐは、出力画像として、スタック部１００上に順次スタックされる。こうして、画像形成装置１における一連の画像形成プロセスが完了する。
【００３０】
次に、本実施の形態に係る定着装置２０の構成について説明する。
図２に示すように、定着装置２０は、回転可能で可撓性を有する無端状の定着ベルト２１と、定着ベルト２１の径方向外側に設けられるとともに定着ベルト２１を径方向内側に押圧する加圧部材３１と、定着ベルト２１の径方向内側に設けられるとともに定着ベルト２１を挟んで加圧部材３１と互いに押圧するニップ形成部材２６と、定着ベルト２１および加圧部材３１の間にトナー像Ｔを担持した記録媒体Ｐを挟み込むニップ部２７と、定着ベルト２１の内周側に設けられるとともに定着ベルト２１を回転可能に支持する管状（略円筒状、パイプ形状）の支持部材（加熱部材ともいう）６０と、支持部材６０を加熱して定着ベルト２１に伝熱させる加熱手段２５と、支持部材６０を画像形成装置１に支持させる補強部材２３と、定着装置２０の長手方向の両端部に設けられたフランジ部材２８と、両端部に設けられたフランジ部材２８をそれぞれ支持する図１２に示すフレームである側板４２とを備えている。
【００３１】
定着ベルト２１は、内径３０ｍｍの筒状で、厚さ３０〜５０μｍの鉄製の基材２１ａと、その表面側に形成された離型層２１ｂと、基材２１ａの裏面側に形成された塗膜２１ｃとを備えている。基材２１ａを形成する材料としては、鉄に限られず、コバルト、ニッケル、ステンレス、あるいはこれらの合金などの伝熱性のよい金属材料、もしくはポリイミドなどの合成樹脂材料を用いることができる。
【００３２】
離型層２１ｂは、記録媒体Ｐ上のトナー像Ｔに対して離型性を高めるために設けられている。離型層２１ｂは、厚さ１０〜５０μｍのＰＦＡ（４フッ化エチレンバーフルオロアルキルビニルエーテル共重合体樹脂）製としている。離型層２１ｂを形成する材料としては、ＰＦＡに限られず、ＰＴＦＥ（４フッ化エチレン樹脂）、ポリイミド、ポリエーテルイミド、ＰＥＳ（ポリエーテルサルファイド）などを用いることができる。離型層２１ｂを設けることで、トナー像Ｔに対する離型性が担保される。
【００３３】
塗膜２１ｃは、支持部材６０との摩擦抵抗を小さくするために設けられている。塗膜２１ｃは、テフロン（登録商標）のコーティングとしている。塗膜を形成する材料としては、テフロン（登録商標）に限られず、メッキ、ＤＬＣ（ダイヤモンドライクカーボン）、ガラスコートなどの表面コートを用いることができる。
【００３４】
支持部材６０は、図３〜図５に示すように、厚さ０．１〜１ｍｍの鉄などの金属製の断面略Ｃ字形状のパイプとされている。支持部材６０は、ニップ形成部材２６を収容してニップ部２７の一部を形成するニップ凹部６１と、ニップ凹部６１の定着ベルト２１の回転方向上流側に連続して設けられる導入領域６２と、この導入領域６２に連続して設けられる加熱領域６３と、ニップ凹部６１の定着ベルト２１の回転方向下流側に形成される分離領域６４と、この分離領域６４に連続して設けられる平坦な逃げ領域６５と、この逃げ領域６５の回転方向下流側に連続して形成されるとともに加熱領域６３に連続する中間領域６６とを備えている。支持部材６０はプレス成型により形成される。
【００３５】
加熱領域６３は、ニップ凹部６１の回転方向上流側から連続する半径１４．５ｍｍの断面円弧形状であって、加熱手段２５により加熱される領域としている。また、加熱領域６３の円弧中心６３ａは、ニップ形成部材２６の記録媒体搬送方向（図２中、白抜き矢印で示す）の中心線２６ｃに対して記録媒体搬送方向上流側に３．４ｍｍ離隔するようにしている。これにより、定着ベルト２１は記録媒体搬送方向下流側に引っ張られることから、定着ベルト２１が加熱領域６３から離れ難くなる。また、支持部材６０の内面、特に加熱領域６３は黒色塗装されている。これにより、加熱手段２５からの輻射熱の輻射率が向上する。
【００３６】
導入領域６２は、断面形状として加熱領域６３の円弧中心６３ａからの距離が加熱領域６３の半径１４．５ｍｍより小さくなるようにして形成されている。すなわち、導入領域６２は曲率の小さい平坦な形状であって、ニップ凹部６１と加熱領域６３とを連続するようにしている。これにより、ニップ部２７の近傍における定着ベルト２１の支持部材６０からの浮き上がりを抑制できる。
【００３７】
分離領域６４は、断面形状として加熱領域６３の半径１４．５ｍｍよりも小さい半径１３ｍｍの円弧形状であり、ニップ部２７を抜けた記録媒体Ｐから定着ベルト２１を急激に引き離すことで記録媒体Ｐが定着ベルト２１から分離される領域となっている。また、分離領域６４の円弧中心６４ａは、加熱領域６３の円弧中心６３ａに対して記録媒体搬送方向下流側に２．７ｍｍかつニップ部２７側に２ｍｍ離隔するようにしている。これにより、加熱領域６３と分離領域６４との各円弧中心６３ａ、６４ａを結ぶ最大外径１８が支持部材６０の最大外径となるとともに、この最大外径１８は３０．８６ｍｍとなって定着ベルト２１の内径３０ｍｍより大きくなる。これにより、定着ベルト２１は加熱領域６３と分離領域６４との間で引っ張られるようになり、定着ベルト２１が加熱領域６３から離れ難くなる。さらに、ニップ形成部材２６を組み付けた支持部材６０の外周長をＬ１、定着ベルト２１の内周長をＬ２とすると、周長差Ｌ２−Ｌ１が０．７ｍｍであるようにしている。
【００３８】
中間領域６６は、断面形状として加熱領域６３と同一半径および同一中心６３ａの円弧形状となっている。これにより、加熱領域６３と中間領域６６とを同じ曲率で形成することができるので、支持部材６０の加工が容易に行われる。
【００３９】
逃げ領域６５は、分離領域６４の円弧中心６４ａから記録媒体搬送方向下流側に１１．５ｍｍ離れた平面で、中間領域６６と分離領域６４との間に形成されている。これにより、逃げ領域６５において支持部材６０と定着ベルト２１とが非接触になるので、摩擦抵抗が低減される。
【００４０】
図２に示すように、支持部材６０の外面は塗膜６０ａでコートされている。塗膜６０ａは、定着ベルト２１との摩擦抵抗を小さくするために設けられている。塗膜６０ａは、テフロン（登録商標）のコーティングとしている。塗膜６０ａを形成する材料としては、テフロン（登録商標）に限られず、メッキ、ＤＬＣ、ガラスコートなどの表面コートを用いることができる。また、支持部材６０と定着ベルト２１との間にはグリスが塗布されている。これにより、支持部材６０と定着ベルト２１との摩擦抵抗が小さくなる。
【００４１】
図３に示すように、ニップ凹部６１は、支持部材６０の内側に向けて平行に延びる一対の側壁６７と、各側壁６７の先端を結ぶ底壁６８と、底壁６８に形成された開口６９とを備えている。ニップ凹部６１には、ニップ凹部６１の外側、すなわち支持部材６０の内側に設けられた略コ字形状の外保持部材７０と、ニップ凹部６１の内側、すなわち支持部材６０の外側に設けられた略コ字形状の内保持部材７１とが装着されている。これら外保持部材７０と内保持部材７１とは、支持部材６０のニップ凹部６１の側壁６７および底壁６８を挟持してねじ止めされている。これら外保持部材７０と内保持部材７１との装着により、ニップ凹部６１の形状が維持される。また、外保持部材７０の長手方向の両端部には取付部７０ａが形成されている。取付部７０ａは、フランジ部材２８により支持部材６０に対して固定されている。
【００４２】
図２、図６、図７に示すように、ニップ形成部材２６は、内保持部材７１の内側に設けられている。ニップ形成部材２６は、ＬＣＰ（液晶ポリマー）や、ポリイミド樹脂、ＰＡＩ（ポリアミドイミド樹脂）などの耐熱性を有する樹脂部材であり、支持部材６０の長手方向に沿った略角棒状としている。このニップ形成部材２６は、加圧部材３１に対向する本体２６ａと、本体２６ａの背面で補強部材２３に当接して支持される支持突起２６ｂと、本体２６ａの周囲に設けられた膜部材２９とを備えている。
【００４３】
本体２６ａが加圧部材３１により押圧された際は、支持突起２６ｂが補強部材２３に当接して支持されることで、加圧部材３１により押し込まれることが防止される。このニップ形成部材２６の加圧部材３１側の面は平面状に形成されている。なお、加圧部材３１の表面に沿うような凹形状としても良い。
【００４４】
膜部材２９は、ＰＴＦＥ繊維の織物からなり、定着ベルト２１との摩擦抵抗を低減している。膜部材２９は、本体２６ａに巻かれ、支持突起２６ｂの近傍にねじ止めされた止着部材１９と本体２６ａとに挟まれて固定されている。ニップ形成部材２６は、フランジ部材２８により支持部材６０に対して固定されている。
【００４５】
図２および図８に示すように、補強部材２３は、支持部材６０の長手方向に沿った金属製の略角棒状で、高い剛性を有する本体２３ａと、ニップ形成部材２６の支持突起２６ｂに当接する受け突起２３ｂと、加熱手段２５に対向する反射板２２とを備えている。受け突起２３ｂは、ニップ形成部材２６の支持突起２６ｂに当接し、加圧部材３１により押圧されたニップ形成部材２６を背後から支持する。反射板２２は、加熱手段２５からの輻射熱を反射して、補強部材２３の本体２３ａに逃げてしまう熱量を低減している。補強部材２３は、フランジ部材２８により支持部材６０に対して固定されている。
【００４６】
加熱手段２５は、支持部材６０の長手方向に沿って内部に設けられる線状発熱体であり、本実施の形態ではハロゲンヒータとしている。加熱手段２５は、加熱領域６３の内側に設置されている。このため、加熱領域６３は、加熱手段２５からの熱が補強部材２３に遮られずに輻射される輻射領域となる。また、加熱領域６３の適宜位置には、定着ベルト２１の温度を検出する温度センサが設けられている。
【００４７】
図９に示すように、フランジ部材２８は、支持部材６０の軸方向両端部の内径部に挿入され支持部材６０の端部近傍の形状を保持する円筒部２８ａと、当該定着装置２０の側板４２に固設されるフランジ部２８ｂと、からなり、ニップ形成部材２６、外保持部材７０、補強部材２３、加熱手段２５をそれぞれ保持して固定している。また、フランジ部材２８は、鍔部２８ｃにより、定着ベルト２１の軸方向への移動を規制している。
【００４８】
なお、支持部材６０は、前述のように、加熱領域６３において定着ベルト２１と密着して定着ベルト２１を効率的に加熱し、分離領域６４において記録媒体Ｐの分離性を確保する等、所定の機能を得るために所定の断面形状としているが、支持部材６０は薄肉の金属パイプであるため、加工上の形状のばらつきがあったり、定着ベルト２１の摺動を受けて変形したりして所期の機能を損なう傾向にある。そこで、フランジ部材２８の円筒部２８ａの外周面が支持部材６０の端部近傍の形状を前述したような形状となるように保持し、所期の機能が安定して得られるようにしている。そのため、円筒部２８ａの外周面と支持部材６０の端部の内周面とのクリアランスは、０．１５ｍｍ以下となっている。
【００４９】
加圧部材３１は、外径が３０ｍｍの加圧ローラであって、金属製のパイプ状の中心軸３２と、その周囲に設けられた耐熱性のシリコーンゴムからなる弾性層３３と、表面に形成されたＰＦＡ製の離型層３４とを備えている。弾性層３３は、厚さ２〜３ｍｍとなっている。離型層３４は、厚さ５０μｍのＰＦＡチューブを被覆して形成されている。また、中心軸３２には必要に応じてハロゲンヒータなどの発熱体を内蔵してもよい。
【００５０】
また、加圧部材３１は、図示しない加圧機構によりニップ形成部材２６に向けて定着ベルト２１を介して押し当てられている。加圧部材３１が定着ベルト２１を介してニップ形成部材２６に押圧されることにより、ニップ部２７が形成される。加圧部材３１は、定着ベルト２１を押圧した状態で図示しない駆動機構により回転される（図２中、矢印方向）。この回転に伴って、定着ベルト２１が回転するとともに、ニップ部２７で記録媒体Ｐが加圧されつつ搬送される。
【００５１】
次に、作用について説明する。
ユーザが操作パネルあるいはコンピュータなどを操作して印刷要求を出す。この印刷要求により画像形成装置が出力信号を受けると、駆動機構によって加圧部材３１が回転され、定着ベルト２１も連れ回りする。
【００５２】
ここで、加熱領域６３の円弧中心６３ａはニップ形成部材２６の記録媒体搬送方向の中心線に対して記録媒体搬送方向上流側に位置するので、定着ベルト２１は記録媒体搬送方向下流側、すなわち加熱領域６３と反対側に引っ張られることから、加熱領域６３における支持部材６０と定着ベルト２１との密着性が高まるとともに、定着ベルト２１が支持部材６０から離れ難くなる。また、加熱領域６３は断面形状として定着ベルト２１の半径１５ｍｍと略同一の半径１４．５ｍｍの円弧形状であるので、加熱領域６３では定着ベルト２１に変形力が殆ど作用することなく支持部材６０に密着するようになり、支持部材６０と定着ベルト２１との密着性が高まる。さらに、加熱領域６３と分離領域６４との間の最大外径１８の３０．８６ｍｍが定着ベルト２１の内径３０ｍｍより大きいので、定着ベルト２１は加熱領域６３と分離領域６４との間で引っ張られるようになり、加熱領域６３における支持部材６０と定着ベルト２１との密着性が高まるとともに、定着ベルト２１が支持部材６０から離れ難くなる。これらの理由から、加熱領域６３において定着ベルト２１が支持部材６０に密着して摺動するようになる。
【００５３】
一方、加圧部材３１の回転と同期して、加熱手段２５が通電されて発熱する。加熱手段２５の熱は加熱領域６３に輻射されて、加熱領域６３が急激に加熱される。なお、加圧部材３１の回転と加熱手段２５による加熱は必ずしも同時に開始する必要はなく、適宜時間差を設けても良い。そして、温度センサにより定着ベルト２１の温度が検出され、ニップ部２７が定着に必要な温度まで昇温された後、温度を保持したまま記録媒体Ｐの通紙が開始される。ニップ部２７を通過した記録媒体Ｐでは、記録媒体Ｐ上のトナー像Ｔがニップ部２７の圧力と熱により定着される。
【００５４】
以上のように、本実施の形態に係る画像形成装置によれば、加熱領域６３における支持部材６０と定着ベルト２１との密着性がより高まるとともに定着ベルト２１が支持部材６０から離れ難くなるので、支持部材６０から定着ベルト２１への熱伝導率が高くなって、支持部材６０が過熱することを抑制して、塗膜６０ａ、２１ｃの劣化を防止できるようになる。また、支持部材６０と定着ベルト２１との密着性がより高まることにより、ウォームアップ時間やファーストプリント時間を短縮することができ、省エネ性を向上することができる。
【００５５】
そして、本実施の形態によれば、分離領域６４は断面形状として加熱領域６３の半径よりも小さい半径の円弧形状であるので、定着ベルト２１が記録媒体Ｐから急激に引き離される。よって、ニップ部２７を通過した後の記録媒体Ｐでの定着ベルト２１からの分離性を向上することができる。
【００５６】
また、本実施の形態によれば、ニップ形成部材２６を組み付けた支持部材６０の外周長をＬ１、定着ベルト２１の内周長をＬ２とすると、周長差Ｌ２−Ｌ１が０．５〜０．９ｍｍであるようにしている（図１１）。ここで、周長差が０．９ｍｍを超える場合は、定着ベルト２１は支持部材６０に対して緩く巻かれるので、定着ベルト２１が浮き上がって支持部材６０の一部に過熱部分が生じて塗膜の耐久性が劣化しやすくなる。また、周長差が０．５ｍｍ未満の場合は、定着ベルト２１は支持部材６０に対してきつく巻かれるので、定着ベルト２１と支持部材６０との摩擦力が大きくなって定着ベルト２１が回転し難くなり、加圧部材３１および記録媒体Ｐが定着ベルト２１に対してスリップしやすくなる。このため、本実施の形態のように周長差Ｌ２−Ｌ１が０．５〜０．９ｍｍであると、定着ベルト２１が支持部材６０から浮き上がることが無く支持部材６０の過熱を防止できるとともに、定着ベルト２１の支持部材６０への巻き付きがきつすぎずに記録媒体Ｐのスリップを抑制できるようになる。
【００５７】
また、本実施の形態によれば、定着ベルト２１は加熱領域６３と分離領域６４との間で引っ張られるので、定着ベルト２１の停止時であっても加熱領域６３において支持部材６０と定着ベルト２１との密着性が高まる。これにより、停止していた定着装置２０を起動して定着ベルト２１を静止加熱する際に、支持部材６０を過熱することなく定着ベルト２１を効率的に加熱できるようになる。
【００５８】
さらに、本実施の形態によれば、加熱手段２５は支持部材６０の長手方向に沿って内部に設けられる線状発熱体であるので、線状発熱体は組み付け構造が簡易であることから、定着装置２０の構成を簡素化することができる。しかも、支持部材６０の内面は黒色塗装されているので、支持部材６０での輻射率が向上して、ウォームアップ時間やファーストプリント時間を短縮することができ、省エネ性を向上することができる。
【００５９】
また、本実施の形態によれば、加熱領域６３とニップ形成部材２６の間に、断面形状として加熱領域６３の円弧中心６３ａからの距離が加熱領域６３の半径１４．５ｍｍより小さい導入領域６２が設けられているので、導入領域６２において定着ベルト２１が支持部材６０の外周面から浮き上がってしまうのを抑制することができ、支持部材６０が過熱することを防止できるようになる。
【００６０】
そして、本実施の形態によれば、中間領域６６は、断面形状として加熱領域６３と同一半径および同一中心６３ａの円弧形状であるので、加熱領域６３と中間領域６６とを同じ曲率で形成することができる。したがって、支持部材６０の加工を容易にすることができ、製造コストを低減することができる。
【００６１】
また、本実施の形態によれば、中間領域６６と分離領域６４との間に、平坦な逃げ領域６５が設けられているので、逃げ領域６５において支持部材６０と定着ベルト２１とが非接触となり、これらの間の摩擦抵抗が減少して定着ベルト２１と記録媒体Ｐとの間の摩擦抵抗より更に小さくなり、定着ベルト２１に対する記録媒体Ｐのスリップを抑制することができる。また、支持部材６０を形成するための材料を短くすることができるので、材料コストを低減することができる。
【００６２】
さらに、本実施の形態によれば、定着ベルト２１の内面と支持部材６０の外面とがいずれも塗膜２１ｃ、６０ａでコートされているとともに、これらの間にグリスが塗布されているので、支持部材６０と定着ベルト２１との間の摺動部分の摩擦抵抗が低減して定着ベルト２１と記録媒体Ｐとの間の摩擦抵抗より小さくなるので、定着ベルト２１に対する記録媒体Ｐのスリップを抑制することができる。
【００６３】
なお、本実施の形態に係る画像形成装置においては、本発明における定着装置２０のニップ形成部材２６を組み付けた支持部材６０の外周長をＬ１、定着ベルト２１の内周長をＬ２とすると、周長差Ｌ２−Ｌ１を０．７ｍｍとしたが、これに限定されるものではない。
【００６４】
すなわち、定着ベルト２１の内周長と支持部材６０の外周長との差が０．９ｍｍを超える場合は、定着ベルト２１は支持部材６０に対して緩く巻かれるので、定着ベルト２１が浮き上がって支持部材６０の一部に過熱部分が生じて塗膜の耐久性が劣化することがある。また、定着ベルト２１の内周長と支持部材６０の外周長との差が０．５ｍｍ未満の場合は、定着ベルト２１は支持部材６０に対してきつく巻かれるので、定着ベルト２１と支持部材６０との摩擦力が大きくなって定着ベルト２１が回転し難くなり、加圧部材３１および記録媒体Ｐが定着ベルト２１に対してスリップしやすくなる。
【００６５】
このため、定着ベルト２１の内周長と支持部材６０の外周長との周長差としては、０．５〜０．９ｍｍであればよく、より好ましくは０．６〜０．８ｍｍであり、最も好ましくは０．７ｍｍであり、これらの範囲であれば、支持部材６０の過熱を防止しつつ、記録媒体Ｐのスリップを抑制することができるようになる。なお、塗膜２１ｃ、６０ａやグリスの有無、あるいは、各部の形状や寸法により、周長差は０．５〜０．９ｍｍにも限られず、適宜設定することができる。
【００６６】
また、本実施の形態に係る画像形成装置においては、本発明における定着装置２０の支持部材６０の中間領域６６は断面形状として加熱領域６３と同一半径および同一中心６３ａの円弧形状であるものとしたが、これに限定されるものではなく、例えば補強部材２３と干渉しなければ、断面形状として加熱領域６３の円弧中心６３ａからの距離が加熱領域６３の半径より小さいものとしてもよい。この場合、中間領域６６では支持部材６０と定着ベルト２１とが非接触になるので、これらの間の摩擦抵抗が減少して定着ベルト２１と記録媒体Ｐとの間の摩擦抵抗より更に小さくなり、定着ベルト２１に対する記録媒体Ｐのスリップを抑制することができる。また、支持部材６０を形成するための材料を短くすることができるので、材料コストを低減することができる。
【００６７】
また、本実施の形態に係る画像形成装置においては、本発明における定着装置２０の定着ベルト２１は直径３０ｍｍのものとしたが、これに限定されるものではなく、例えば、直径１５〜１２０ｍｍ、特に２５ｍｍとしてもよい。
【００６８】
さらに、本実施の形態に係る画像形成装置においては、本発明における定着装置２０の加熱手段２５をハロゲンヒータなどの線状発熱体としたが、これに限定されるものではなく、例えば、図２に想像線で示すように、加熱手段２５は支持部材６０の長手方向に沿って内周面に接して設けられる面状発熱体であるようにしてもよい。
【００６９】
面状発熱体は、例えば、図１０に示すように、定着ベルト２１の軸方向および周方向に対応して所定の幅及び長さをもち可撓性のある発熱シート５２ｓを備えている。この発熱シート５２ｓは、絶縁性を有する基層５２ａと、耐熱性樹脂中に導電性粒子が分散されてなる抵抗発熱層５２ｂと、この抵抗発熱層５２ｂに電力を供給する電極層５２ｃとを備えている。基層５２ａ上には、抵抗発熱層５２ｂと隣接する別の給電系統の電極層５２ｃとの間や発熱シート５２ｓの縁部分と外部との間を絶縁する絶縁層５２ｄが設けられている。また、この面状発熱体は、発熱シート５２ｓの端部で電極層５２ｃに接続され、給電線から供給される電力を電極層５２ｃに供給する電極端子を備えている。なお、面状発熱体としては、上述の構成に限られず、他の構成であってもよい。
【００７０】
面状発熱体を適用するとともに線状発熱体を省略することで、加熱領域６３は面状発熱体からなる加熱手段２５からの熱が伝導される接触領域となる。これによれば、面状発熱体は支持部材６０を効率よく加熱することができるので、ウォームアップ時間やファーストプリント時間を短縮することができ、省エネ性を向上させることができる。
【００７１】
あるいは、加熱手段２５は、支持部材６０の外部または内部に設けられて支持部材６０に対して誘導加熱を行う誘導コイルであるようにしてもよい。この場合、加熱領域６３は、加熱手段２５に対向して誘導加熱される対向領域となる。これによれば、誘導加熱では支持部材６０以外は直接加熱されないので、線状発熱体のように支持部材６０以外に例えば補強部材２３まで加熱されることはなく、支持部材６０を効率的に加熱することができる。
【００７２】
（実施例）
上述した実施の形態と同条件で、図５に示す寸法および形状の支持部材６０を用い、ニップ形成部材２６を組み付けた支持部材６０の外周長Ｌ１と定着ベルト２１の内周長Ｌ２との周長差Ｌ２−Ｌ１のみを異ならせて、各種の測定を行った。測定は、周長差と支持部材６０の表面温度との関係、ならびに周長差と支持部材６０および定着ベルト２１の摩擦力との関係について行った。
【００７３】
その結果を図１１に示す。図１１に示すように、周長差が０．９ｍｍを超える場合は、支持部材６０の表面温度が所定の温度限界値を超えた。すなわち、周長差が０．９ｍｍを超える場合は、定着ベルト２１は支持部材６０に対して緩く巻かれるので、定着ベルト２１が浮き上がって支持部材６０の一部に過熱部分が生じて温度限界を超えたものと推測された。これにより、周長差が０．９ｍｍを超える場合は、支持部材６０の過熱により塗膜６０ａの耐久性が劣化しやすくなることが判明した。
【００７４】
また、周長差が０．５ｍｍ未満の場合は、支持部材６０および定着ベルト２１の間の摩擦力が所定の限界値を超えた。すなわち、周長差が０．５ｍｍ未満の場合は、定着ベルト２１は支持部材６０に対してきつく巻かれるので、定着ベルト２１と支持部材６０との間の摩擦力が大きくなり加圧部材３１および記録媒体Ｐのスリップ限界値を超えたと推測された。これにより、周長差が０．５ｍｍ未満の場合は、定着ベルト２１が回転し難くなり、加圧部材３１および記録媒体Ｐが定着ベルト２１に対してスリップしやすくなることが判明した。
【００７５】
これらの結果を踏まえ、定着ベルト２１の内周長と支持部材６０の外周長との周長差としては、０．５〜０．９ｍｍ、より好ましくは０．６〜０．８ｍｍ、最も好ましくは０．７ｍｍであることが明らかとなった。これにより、支持部材６０の過熱を防止しつつ、記録媒体Ｐのスリップを抑制できることが確認された。
【００７６】
ところで、前述のように、フランジ部材２８は、支持部材６０の軸方向両端部の内径部に挿入され固定されるとともに、ニップ形成部材２６、外保持部材７０、補強部材２３、加熱手段２５をそれぞれ保持し、さらに支持部材６０の外周上に定着ベルト２１が回転可能に装着されている。これらの部材を組み立てたものは、これらの部材を保持したまま、定着装置２０の側板４２に着脱可能であり、定着ベルトユニットと称する。
【００７７】
この定着ベルトユニットの組み立ては、つぎのように行う。
（Ｓ１１）  まず外保持部材７０及び内保持部材７１が装着された支持部材６０の軸方向の一方の端部の内径部にフランジ部材２８の円筒部２８ａをその鍔部２８ｃが支持部材６０の端部に当接するまで挿入する。
（Ｓ１２）  ついで、支持部材６０の外周上に定着ベルト２１を装着するとともに、支持部材６０のニップ凹部６１にニップ形成部材２６をその端部がフランジ部２８ｂの所定位置に当接するまで挿入し、支持部材６０の内径部に補強部材２３、加熱手段２５もそれぞれの端部がフランジ部２８ｂの所定位置に当接するまで挿入する。
（Ｓ１３）  最後に、支持部材６０の軸方向の他方の端部の内径部にもう１つのフランジ部材２８の円筒部２８ａをその鍔部２８ｃが支持部材６０の端部に当接するまで挿入して、定着ベルトユニットを完成する。
【００７８】
ここで、前記ステップＳ１１やＳ１３において、例えば、厚さ０．１ｍｍのステンレス製の支持部材６０の軸方向端部の内径部に微小クリアランスでフランジ部材２８の円筒部２８ａを挿入しようとすると、薄肉の金属パイプの支持部材６０を変形させながら挿入するため、相当量の負荷を要した。また、支持部材６０の断面は前述の通り、単純な円形ではないため、よりスムーズに挿入することが困難であって挿入に時間を要したり、あるいは支持部材６０を損傷したりしてしまうなどの問題があった。
【００７９】
発明者らは、その組み付け性の問題を解決すべく鋭意検討を行い、本発明を成すに至った。以下、本発明の要部構成について説明する。
【００８０】
図１３は、本発明の定着装置２０に用いられるフランジ部材２８の構成を示す斜視図である。このうち、図１３（ａ）はニップ部とは反対側から見た斜視図であり、図１３（ｂ）はニップ部側から見た斜視図である。なお、図１３に示すフランジ部材２８は、定着装置２０で用いられる一対のフランジ部材２８（図１２）の一方であり、他方のフランジ部材２８は図１３に示すものと同寸法で鏡像の関係となる形状（左右対称形状）となっている。
【００８１】
フランジ部材２８は、図１３に示すように、支持部材６０の軸方向端部の内径部に挿入され支持部材６０の端部近傍の形状を保持する円筒部２８ａと、定着装置２０の側板４２に固設されるフランジ部２８ｂと、組み付け時の支持部材６０の軸方向端部の突き当て部となるとともに装置運転時の定着ベルト２１の寄り止め部となる鍔部２８ｃと、からなる。
【００８２】
円筒部２８ａは、その円周上の一部に、ニップ形成部材２６及び支持部材６０のニップ凹部６１を収納するための切欠き部２８ａ１を有している。また、ニップ形成部材２６と、ニップ凹部６１の形状を維持する外保持部材７０の取付部７０ａは、フランジ部２８ｂで保持される。
【００８３】
また、円筒部２８ａは、その外周上であって少なくとも切欠き部２８ａ１のニップ部入口側に隣接する領域Ａに支持部材６０の軸方向端部近傍を所望の断面形状で保持する形状保持面２８ａ２を有している。この領域Ａは、支持部材６０において加熱領域６３に対応する領域である。したがって、形状保持面２８ａ２は、支持部材６０の軸方向端部近傍における加熱領域６３を前述したような所定の形状に高精度に保持するための外周面である。
また、円筒部２８ａの軸方向先端部には、支持部材６０の軸方向端部の内径部への挿入がより容易になるように面取りが施されている。
【００８４】
ここで、円筒部２８ａは、その円周上の一部に該円筒部２８ａの軸方向に延設され、円筒部２８ａの外周面側に軸方向先端に向かうにつれて円筒中心側に傾斜する傾斜面２８ｄ１，２８ｄ２からなる案内部２８ｄを有する。
【００８５】
この案内部２８ｄは、円筒部２８ａの円周上において形状保持面２８ａ２以外の領域Ｂに設けられることが好ましい。すなわち、領域Ｂは、支持部材６０において少なくとも逃げ領域６５に対応する領域であり、分離領域６４及び中間領域６６のそれぞれ一部領域まで含めてもよい。これにより、案内部２８ｄは、円筒部２８ａの円周上において、ニップ部の定着ベルト２１回転方向下流側に設けられ、図２（あるいは図１６）において、補強部材２３を挟んで加熱手段２５とは反対側の領域に設けられるものとなる。
【００８６】
案内部２８ｄにおける傾斜面２８ｄ１は、図１４に示すように、円筒部２８ａの外周面側で軸方向先端に向かうにつれて所定角度、例えば３０〜４５度で円筒中心側に傾斜している。この傾斜角度は、円筒部２８ａの軸方向先端の面取りの角度と略同じであり、該面取りがそのまま延伸されて傾斜面２８ｄ１となっている。また、傾斜面２８ｄ１は、円筒部２８ａの円周上において支持部材６０の逃げ領域６５に対応する領域に形成されており、逃げ領域６５と同様に円周方向においてほとんど曲率のない平面となっている。
【００８７】
また、案内部２８ｄにおける傾斜面２８ｄ２は、図１５に示すように、円筒部２８ａの円周上において傾斜面２８ｄ１の両側にそれぞれ隣接して形成され、傾斜面２８ｄ１と同様に円筒部２８ａの外周面側で軸方向先端に向かうにつれて所定角度、例えば３０〜４５度で円筒中心側に傾斜している。また、傾斜面２８ｄ２は、傾斜面２８ｄ１から離れるに従って円筒部２８ａからの突出量が徐々に少なくなっている。したがって、傾斜面２８ｄ１の部分が最も円筒部２８ａから突出している形となっている。
【００８８】
以上の構成により、円筒部２８ａの円周上の一部に該円筒部２８ａ先端から軸方向に突出している案内部２８ｄを設けたので、フランジ部材２８の円筒部２８ａを支持部材６０の軸方向端部の内径部に挿入の際に、円筒部２８ａの全周が支持部材６０の軸方向端部の内周部に接触するのではなく、案内部２８ｄの傾斜面２８ｄ１のみがまず支持部材６０の端部内周部に接触しながら入り込む。ついで、そのままフランジ部材２８を押し込んでいくと、傾斜面２８ｄ１に続いて傾斜面２８ｄ２が支持部材６０の軸方向端部の内周部に摺接しながら入り込むようになり、徐々に支持部材６０の軸方向端部の内周部に入り込む案内部２８ｄの円周方向の長さ（すなわち面積）が増えるようになる。またこれとともに、支持部材６０の軸方向端部の内周部は傾斜面２８ｄ１，２８ｄ２に摺接しながら円筒部２８ａの外周面上に案内されるようになる。そして、さらにフランジ部材２８を押し込んでいくと、支持部材６０の軸方向端部の内周部全周が円筒部２８ａの外周面に挿入されるようになる。
【００８９】
このように、フランジ部材２８の円筒部２８ａを支持部材６０の軸方向端部の内径部に挿入の際には、最初から円筒部２８ａの全周が同時に支持部材６０の内周部に接触せずに、円周上の一部である案内部２８ｄがまず支持部材６０の内周部に挿入され、その後徐々に支持部材６０の内周部に接触する領域を増やしながら円筒部２８ａの外周面が挿入されるようになるので、余分な力を要することなく容易に挿入することが可能になり、かつ支持部材６０の断面形状の保持精度を損なうこともない。
【００９０】
また、円筒部２８ａから軸方向に突出している案内部２８ｄは、補強部材２３を挟んで加熱手段２５と反対側に配置しているので、装置運転時に加熱手段２５からの熱影響を受けにくく（加熱手段２５による支持部材６０の加熱を阻害することもなく）、フランジ部材２８の局所的な過昇温も防止することができる。
【００９１】
このようにして、図１６に示すように、１つのフランジ部材２８で、支持部材６０、ニップ形成部材２６、補強部材２３、加熱手段２５、定着ベルト２１が組み付けられて、保持されるようになる。この後、支持部材６０の軸方向の他方の端部の内径部にもう１つのフランジ部材２８の円筒部２８ａをその鍔部２８ｃが支持部材６０の端部に当接するまで挿入して、定着ベルトユニットを完成する。
【００９２】
次に、本発明の定茶装置２０における案内構造について説明する。
定着ベルトユニットは、フランジ部材２８を側板４２の所定位置に固定することにより、定着装置２０に装着されるが、ユニット装着時には支持部材６０とフランジ部材２８の鍔部２８ｃの間には一定のクリアランスを設ける必要がある。これは、加熱時に支持部材６０である金属パイプは軸方向に熱膨張し、フランジ部材２８を組み付けた状態のままでは当初から鍔部２８ｃに当接している支持部材６０の軸方向端部が損傷するためである。しかしながら、支持部材６０にフランジ部材２８を挿入する際は、この微小なクリアランスを空けた状態を維持するのは非常に困難であり、フランジ部材２８を支持部材６０の軸方向端部の内径部に挿入した時点では、どうしてもクリアランス０の状態で組まれてしまう。これを側板４２に取り付ける際に、フランジ部材２８を微小にフランジ抜き方向に移動して組み付ける必要があるが、抜きすぎると支持部材６０がフランジ部材２８から脱落してしまい、部品を損傷してしまう可能性がある。また、この作業を慎重に行うことで組み付けタクトタイムやメンテナンス性が悪化してしまう。
【００９３】
そこで、本発明の定着装置２０では、この問題を解決するために、フランジ部材２８及び当該定着装置２０の側板４２は、フランジ部材２８を側板４２へ装着する際に該フランジ部材２８を側板４２における目標位置に案内する案内構造を有する。
【００９４】
この案内構造を実現するために、まずフランジ部材２８に所定の部位を設けている。詳しくは、図１３に示すように、フランジ部２８ｂにおいて側板４２への取り付け面となる板形状部分（円筒部２８ａ設置面となる板形状部分）の端部（図１３において下方の端部）の角に所定の傾斜角度、例えば３０〜４５度の面取り部２８ｂ１を設けている。これにより、後述するように、この面取り部２８ｂ１が側板４２の端部４２ａと接触しながらスライドして、フランジ部材２８が軸方向に移動する構造となる。
【００９５】
また、前記案内構造は、側板４２におけるフランジ部材２８の位置決め手段を有することが好ましい。すなわち、この位置決め手段として、図１３（ｂ）に示すように、フランジ部２８ｂの側板４２への取り付け面において、そのコーナー部の少なくとも１箇所（図１３では、円筒部２８ａ設置面に向かって右側であって、上下の２箇所のコーナー部）に、端部に向かってフランジ部２８ｂの厚みが薄くなるような面取り部２８ｂ２を設けており、さらにこの面取り部２８ｂ２に隣接する位置に側板４２に設けられた突起部４２ｅが挿入される位置決め穴２８ｂ３が設けている。なお、フランジ部２８ｂの側板４２への取り付け面には、フランジ部材２８を側板４２にネジ止めにより固定する取り付け穴２８ｂ４が、図１３に示すように円筒部２８ａ設置面に向かって左側であって、上下の２箇所のコーナー部に設けられている。
【００９６】
本発明では、このような案内構造を用いて、フランジ部材２８がつぎのように側板４２の目標位置に装着される。以下、図１７〜図２０を参照しながら説明する。
（Ｓ２１）  まず、側板４２の所定位置に設けられた端部４２ａ（図１７（ａ））に、面取り部２８ｂ１が形成された端部が接するようにフランジ部材２８を作業者が支持した状態で配置する（図１７（ｂ））。なお、図１７では軸方向の一方の側板４２のみを示しているが、実際には同寸法で左右対称形状の側板４２（図１２）が軸方向他方にも配置されており、そちら側でも左右対称形状のフランジ部材２８を同様に配置し、以下同様の作業を行うものとする。
【００９７】
ここで、端部４２ａは、側板４２においてフランジ部材２８を装着するために設けた開口部４２ｋの入口部分となる位置に設けたものである（図１７（ａ））。また、端部４２ａは、面取り部２８ｂ１に対して所定長さ領域で平行に接触し、該面取り部２８ｂ１をスライド移動可能に支持できる部位であればよく、側板４２を構成する板材の切断端面のままでもよいし、側板４２を構成する板材の折り曲げ部でもよい。
【００９８】
なお、突起部４２ｅは、側板４２の主面の所定位置においてフランジ部２８ｂと接する側にエンボス加工などにより釣鐘状に突起させたものである。また、ネジ穴４２ｈは、側板４２の主面の所定位置においてフランジ部材２８をネジ止めするための穴である。
【００９９】
（Ｓ２２）  ついで、面取り部２８ｂ１を端部４２ａに接した状態で、フランジ部材２８を軽く下方に押し付ける（図１７（ｂ）において（１）の方向、図１８において（１ａ）の方向）。これにより、図１８に示すように、フランジ部材２８は、面取り部２８ｂ１の傾斜にしたがって下方に移動するとともに軸方向外側（図１８において（１ｂ）方向）、すなわち、支持部材６０端部からわずかに抜ける方向に移動し、ちょうど一対の側板４２のスパンまで広がったところで移動が停止する。これにより、フランジ部材２８の鍔部２８ｃは支持部材６０の軸方向端部に対して所定のクリアランスを有するようになる。
【０１００】
（Ｓ２３）  つぎに、フランジ部２８ｂの側板４２への取り付け面を側板４２の主面に当接させた状態で、フランジ部材２８を加圧ローラ３１側へ移動させる（図１７（ｂ）の（２）の方向）。
【０１０１】
（Ｓ２４）  フランジ部２８ｂの移動方向に面する端部が突起部４２ｅに接しても、図１９に示すように、依然フランジ部材２８を加圧ローラ３１側へ移動させる方向（図１９において（２ａ）の方向）に軽く押し付けると、突起部４２ｅにフランジ部２８ｂに設けた面取り部２８ｂ２が乗り上げて、わずかにフランジ部材２８が軸方向外側（図１９において（２ｂ）左方向）に移動するようになる。ついでそのままフランジ部材２８を加圧ローラ３１側へ移動させる方向（図１９において（２ａ）の方向）に軽く押しつづけると、フランジ部材２８は面取り部２８ｂ２に沿ってさらに移動し、最後に突起部４２ｅが位置決め穴２８ｂ３に嵌め込まれ、フランジ部材２８の側板４２における位置決めがされる（図２０）。
【０１０２】
このように、位置決めのために設けた突起部４２ｅを乗り越えるために、作業者が再度フランジ部材２８を微小に引き抜くことなしに、フランジ部材２８を側板４２側に押し付けつつ加圧ローラ方向に移動させるだけで、面取り部２８ｂ２により自動的に突起部４２ｅを乗り越えて、ついで乗り越えたところで容易にフランジ部材２８の位置決め穴２８ｂ３に突起部４２ｅを挿入することができる。また、突起部４２ｅは側板４２に直接設けられているため、部品の積み上がりは少なく高精度にフランジ部材２８の位置を決めることが可能である。
【０１０３】
（Ｓ２５）  最後に、取り付け穴２８ｂ４を通して、ネジ穴４２ｈにネジ４２ｎでフランジ部材２８を固定する（図１７（ｃ））。
【０１０４】
以上のように、フランジ部材２８及び側板４２に設けた案内構造により、定着ベルトユニットを側板４２に装着する際に、フランジ部材２８を必要以上に引き抜いてしまう恐れがないため、支持部材６０の脱落を防止することができ、かつ容易にフランジ部材２８の鍔部２８ｃと支持部材６０の軸方向端部とを適切なクリアランスで配置した状態で定着ベルトユニットを側板４２に装着することができる。
【０１０５】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【０１０６】
１    画像形成装置
３    露光部
４Ｙ，４Ｍ，４Ｃ，４Ｋ    作像部
５Ｙ，５Ｍ，５Ｃ，５Ｋ    感光体ドラム
１２    給紙部
１８    加熱領域と分離領域との間の最大外径
１９    止着部材
２０    定着装置
２１    定着ベルト
２１ａ    基材
２１ｂ    離型層
２１ｃ    塗膜
２２    反射板
２３    補強部材
２３ａ    本体
２３ｂ    受け突起
２５    加熱手段
２６    ニップ形成部材
２６ａ    本体
２６ｂ    支持突起
２６ｃ    中心線
２７    ニップ部
２８    フランジ部材
２８ａ    円筒部
２８ａ１    切欠き部
２８ａ２    形状保持面
２８ｂ    フランジ部
２８ｂ１，２８ｂ２    面取り部
２８ｂ３    位置決め穴
２８ｂ４    取り付け穴
２８ｃ    鍔部
２８ｄ    案内部
２８ｄ１，２８ｄ２    傾斜面
２９    膜部材
３１    加圧ローラ（加圧部材）
３２    中心軸
３３    弾性層
３４    離型層
４２    側板
４２ａ    端部
４２ｅ    突起部
４２ｈ    ネジ穴
４２ｋ    開口部
６０    支持部材
６０ａ    塗膜
６１    ニップ凹部
６２    導入領域
６３    加熱領域
６３ａ    加熱領域の円弧中心
６４    分離領域
６４ａ    分離領域の円弧中心
６５    逃げ領域
６６    中間領域
６７    側壁
６８    底壁
６９    開口
７０    外保持部材
７０ａ    取付部
７１    内保持部材
７５    帯電部
７６    現像装置
７７    クリーニング部
７８    中間転写ベルト
７９Ｙ，７９Ｍ，７９Ｃ，７９Ｋ    １次転写バイアスローラ
８０    中間転写クリーニング部
８２    ２次転写バックアップローラ
８３    クリーニングバックアップローラ
８４    テンションローラ
８５    中間転写ユニット
８９    ２次転写ローラ
９７    給紙ローラ
９８    レジストローラ対
９９    排紙ローラ対
１００    スタック部
１０１    ボトル収納部
１０２Ｙ，１０２Ｍ，１０２Ｃ，１０２Ｋ    トナーボトル
２０１    ヒータ
２０２，２０３    ローラ部材
２０４    定着ベルト
２０５，２１２    加圧ローラ
２１１    セラミックヒータ
２１３    フィルム
Ａ，Ｂ    領域
Ｎ    定着ニップ部
Ｐ    記録媒体
Ｔ    トナー像
【先行技術文献】
【特許文献】
【０１０７】
【特許文献１】特開平１１−２９８２号公報
【特許文献２】特開平４−４４０７５号公報
【特許文献３】特開８−２６２９０３号公報
【特許文献４】特開１０−２１３９８４号公報
【特許文献５】特開２００７−３３４２０５号公報
【特許文献６】特開２０１０−９６７８２号公報
【図１】
0005625860.tif 000002
【図２】
0005625860.tif 000003
【図３】
0005625860.tif 000004
【図４】
0005625860.tif 000005
【図５】
0005625860.tif 000006
【図６】
0005625860.tif 000007
【図７】
0005625860.tif 000008
【図８】
0005625860.tif 000009
【図９】
0005625860.tif 000010
【図１０】
0005625860.tif 000011
【図１１】
0005625860.tif 000012
【図１２】
0005625860.tif 000013
【図１３】
0005625860.tif 000014
【図１４】
0005625860.tif 000015
【図１５】
0005625860.tif 000016
【図１６】
0005625860.tif 000017
【図１７】
0005625860.tif 000018
【図１８】
0005625860.tif 000019
【図１９】
0005625860.tif 000020
【図２０】
0005625860.tif 000021
【図２１】
0005625860.tif 000022
【図２２】
0005625860.tif 000023